(57)【要約】【課題】撮像感度自動変更モードおよびオートブラケティング撮影モードの設定を適切に行うようにした電子カメラを提供する。【解決手段】マニュアル露出演算を行う電子カメラが撮像感度自動変更モードに設定されている（ステップＳ１０２を肯定判定）とき、オートブラケティング撮影モードの設定／解除をしない（禁止する）ようにする一方、電子カメラがオートブラケティング撮影モードに設定されている（ステップＳ１０７を肯定判定）とき、撮像感度自動変更モードの設定／解除をしない（禁止する）ようにした。したがって、撮像感度自動変更モードの処理（図２のステップＳ５）によって撮像感度をＩＳＯ１００相当〜ＩＳＯ１６００相当の範囲の中で自動変更する動作と、オートブラケティング撮影モードの処理（図２のステップＳ７）によって１コマ撮影するごとに撮像感度を変更する動作とが択一的に行われる。【選択図】図３
2004266788.tif 000002
【特許請求の範囲】
【請求項１】
被写体像を撮像する撮像装置と、
被写体輝度を検出する輝度検出手段と、
前記撮像装置の露光感度、前記撮像装置の露光時間、設定されている絞り値、および前記輝度検出手段で検出される被写体輝度のうち少なくとも前記露光感度および前記被写体輝度を用いて露出演算を行い、適正露出が得られない場合に適正露出が得られるように前記露光感度を変更して制御露出を演算する撮像感度自動変更モード実行手段と、
露出を段階的に変更し、変更された複数の露出によってそれぞれ前記撮像装置に撮像させるオートブラケティング撮影モード実行手段と、
前記撮像感度自動変更モード実行手段および前記オートブラケティング撮影モード実行手段のいずれか一方の実行手段に択一的に実行を許可する許可手段とを備えることを特徴とする電子カメラ。
【請求項２】
請求項１に記載の電子カメラにおいて、
前記許可手段は、前記撮像感度自動変更モード実行手段および前記オートブラケティング撮影モード実行手段のいずれか一方の実行手段に実行を許可している場合、許可する実行手段を変更する指示が入力されても、既に許可している実行手段への許可を解除しない限り他方の実行手段へ実行を許可しないことを特徴とする電子カメラ。
【請求項３】
請求項１に記載の電子カメラにおいて、
前記許可手段は、前記撮像感度自動変更モード実行手段および前記オートブラケティング撮影モード実行手段のいずれか一方の実行手段に実行を許可している場合、許可する実行手段を変更する指示が入力されると、既に許可している実行手段への許可を解除するとともに他方の実行手段へ実行を許可することを特徴とする電子カメラ。
【請求項４】
請求項１〜３のいずれかに記載の電子カメラにおいて、
設定されている露光感度、設定されている露光時間、設定されている絞り値、および前記輝度検出手段で検出される被写体輝度を全て用いて露出演算を行うマニュアル露出演算モードと、設定されている露光時間および設定されている絞り値の少なくとも１つを用いずに露出演算を行う非マニュアル露出演算モードとを有し、
前記許可手段は、前記マニュアル露出演算モード時に前記いずれか一方の実行手段に択一的に実行許可を与えることを特徴とする電子カメラ。
【発明の詳細な説明】
【０００１】
【発明の属する技術分野】
本発明は、撮像素子などによって撮像した画像データを記録する電子カメラに関する。
【０００２】
【従来の技術】
特殊連続撮影モードと呼ばれる撮影モードを備える電子スチルカメラが知られている（たとえば、特許文献１参照）。特殊連続撮影モードには、動画撮影モード、露出固定撮影モード、ＢＳＳ（ｂｅｓｔ  ｓｈｏｔ  ｓｅｌｅｃｔｏｒ）撮影モードなどが含まれる。特殊連続撮影モードでは、複数コマの画像が一定の露出で撮影される。特許文献１に記載の電子スチルカメラには、露出を段階的に変化させて複数コマの撮影を行うオートブラケティング撮影モードも備えられている。特殊連続撮影モードおよびオートブラケティング撮影モードは、それぞれ露出を固定するか変化させるかで相反する動作を行う。このため、特殊連続撮影モードに対して適切にオートブラケティング撮影を行うことが特許文献１に記載されている。
【０００３】
【特許文献１】
特開２００１−２１１３７６号公報
【特許文献２】
特開平１１−１５０６７９号公報
【０００４】
【発明が解決しようとする課題】
ところで、撮像感度を変更可能にする電子スチルカメラが知られている（たとえば、特許文献２参照）。特許文献２に記載の電子スチルカメラは、撮像感度が変更可能（撮像感度自動変更モードと呼ぶことにする）に設定されている場合に、被写体輝度に応じて絞り値、シャッタ速度、ならびに撮像感度を決定する。一般に撮像感度自動変更モードでは、シャッタ速度および絞り値が制御限界に達しても適正露出が得られていない場合に、適正露出が得られるように撮像感度が変更される。撮像感度自動変更モードおよびオートブラケティング撮影モードは、それぞれ露出を適正露出にするか、適正露出に対して変化させるかで相反する動作を行う。
【０００５】
本発明は、撮像感度自動変更モードおよびオートブラケティング撮影モードの設定を適切に行うようにした電子カメラを提供するものである。
【０００６】
【課題を解決するための手段】
本発明による電子カメラは、被写体像を撮像する撮像装置と、被写体輝度を検出する輝度検出手段と、撮像装置の露光感度、撮像装置の露光時間、設定されている絞り値、および輝度検出手段で検出される被写体輝度のうち少なくとも露光感度および被写体輝度を用いて露出演算を行い、適正露出が得られない場合に適正露出が得られるように露光感度を変更して制御露出を演算する撮像感度自動変更モード実行手段と、露出を段階的に変更し、変更された複数の露出によってそれぞれ撮像装置に撮像させるオートブラケティング撮影モード実行手段と、撮像感度自動変更モード実行手段およびオートブラケティング撮影モード実行手段のいずれか一方の実行手段に択一的に実行を許可する許可手段とを備えることを特徴とする。
上記許可手段は、撮像感度自動変更モード実行手段およびオートブラケティング撮影モード実行手段のいずれか一方の実行手段に実行を許可している場合、許可する実行手段を変更する指示が入力されても、既に許可している実行手段への許可を解除しない限り他方の実行手段へ実行を許可しないようにすることもできる。
上記電子カメラの許可手段は、撮像感度自動変更モード実行手段およびオートブラケティング撮影モード実行手段のいずれか一方の実行手段に実行を許可している場合、許可する実行手段を変更する指示が入力されると、既に許可している実行手段への許可を解除するとともに他方の実行手段へ実行を許可するようにしてもよい。
上記電子カメラは、設定されている露光感度、設定されている露光時間、設定されている絞り値、および輝度検出手段で検出される被写体輝度を全て用いて露出演算を行うマニュアル露出演算モードと、設定されている露光時間および設定されている絞り値の少なくとも１つを用いずに露出演算を行う非マニュアル露出演算モードとを有してもよく、この場合の許可手段は、マニュアル露出演算モード時にいずれか一方の実行手段に択一的に実行許可を与えることもできる。
【０００７】
【発明の実施の形態】
以下、図面を参照して本発明の実施の形態を説明する。
（第一の実施の形態）
図１は、本発明の第一の実施の形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。ＣＣＤ１０２は撮像素子を構成する。ＣＣＤ１０２は、撮影レンズ１０３を通過した被写体光による像を撮像し、撮像信号を撮像信号処理回路１０５へ出力する。ＣＣＤ１０２は、駆動回路１０４から出力される駆動信号によって所定の動作タイミングで駆動される。
【０００８】
ＣＣＤ１０２は、後述する撮像感度自動変更モード時に撮像感度（露光感度）をＩＳＯ１００相当〜ＩＳＯ１６００相当の範囲で所定のステップで変更可能に構成されている。撮像感度とは、ＣＣＤ１０２に蓄積される信号電荷の検出感度、もしくは不図示の増幅回路の増幅利得を変化させる被制御量のことをいう。撮像感度は、相当するＩＳＯ感度値で示される。
【０００９】
撮像信号処理回路１０５は、撮像信号のリセット雑音を除去する相関二重サンプリング回路と、アナログ撮像信号をディジタル信号に変換するＡ／Ｄ変換回路とを含む。撮像信号処理回路１０５でディジタル化された画像データは、記録回路１０６へ出力される。記録回路１０６は、撮像信号処理回路１０５によって信号処理された画像データを逐次入力し、一時的に格納する。記録媒体１０７は、フラッシュメモリなどによって構成される。記録媒体１０７は、コントローラ１０８から出力される制御信号によって駆動制御され、記録回路１０６に一時格納されている画像データを記録する。
【００１０】
感度設定操作部材１０９は、撮像感度設定操作に応じて操作信号を演算回路１０１へ出力する。演算回路１０１は、撮像感度設定操作信号に応じて上述したＣＣＤ１０２の撮像感度の設定値を変更する。感度設定操作部材１０９による設定操作では、ＩＳＯ１００相当〜ＩＳＯ１６００相当の範囲で所定のステップで手動変更可能である。具体的には、ＩＳＯ１００相当、ＩＳＯ２００相当、ＩＳＯ４００相当、ＩＳＯ８００相当、ＩＳＯ１６００相当である。
【００１１】
露出モード設定操作部材１１０は、露出モード設定操作に応じてプログラム（オート）露出演算モード（Ｐ）、絞り値優先（オート）露出演算モード（Ａ）、シャッタ速度優先（オート）露出演算モード（Ｓ）、およびマニュアル露出演算モード（Ｍ）への切り換え操作信号を演算回路１０１へ出力する。
【００１２】
プログラムオート露出演算モードは、適正露出が得られるように露光時間および絞り値を所定の組み合わせで変更可能にして制御露出を演算する露出演算モードである。絞り値優先露出演算モードは、設定されている絞り値で適正露出が得られるように露光時間を変更可能にして制御露出を演算する演算モードである。シャッタ速度（露光時間）優先露出演算モードは、設定されている露光時間で適正露出が得られるように絞り値を変更可能にして制御露出を演算する演算モードである。マニュアル露出演算モードは、設定されている露光時間および絞り値による制御露出と適正露出との偏差を演算する演算モードである。
【００１３】
シャッタ速度設定操作部材１１１は、シャッタ速度設定操作に応じて操作信号を演算回路１０１へ出力する。演算回路１０１は、シャッタ速度設定操作信号に応じてシャッタの開口時間を設定し、上述したＣＣＤ１０２の露光時間を制御する。ここで、シャッタ速度（露光時間）は、たとえば、１秒〜１／１０００秒の範囲で所定のステップで設定可能に構成されている。絞り設定操作部材１１２は、絞り設定操作に応じて操作信号を演算回路１０１へ出力する。演算回路１０１は、入力された絞り設定操作信号に応じて絞り値を設定する。絞り値は、たとえば、Ｆ２．８〜Ｆ２２の範囲で所定のステップで設定可能に構成されている。
【００１４】
撮像感度自動変更モード設定操作部材１１３は、撮像感度自動変更モードの設定操作に応じて操作信号を演算回路１０１へ出力する。演算回路１０１は、入力される操作信号によって撮像感度自動変更モードの設定および解除を行う。撮像感度自動変更モードでは、適正露出が得られるように、露出偏差ΔＥＶに応じて撮像感度を自動的に変更して制御露出が演算される。露出偏差ΔＥＶは、制御露出と適正露出との偏差である。撮像感度自動変更モードが解除されていると、設定されている撮像感度で適正露出が得られるように制御露出が演算される。
【００１５】
レリーズスイッチ１１４は、不図示のレリーズ操作ボタンに連動してレリーズ操作信号を演算回路１０１に出力する。表示装置１１５は、演算回路１０１の指令により撮像感度自動変更モード設定の有無、オートブラケティングモード設定の有無、露出モード、撮像感度、シャッタ速度および絞り値などを表示する。測光装置１１６は、被写体輝度を検出して検出信号を演算回路１０１に出力する。モータ駆動回路１１７は、演算回路１０１の指令によってシーケンスモータ１１８を駆動制御する。シーケンスモータ１１８は、不図示のシーケンス駆動装置を構成し、不図示のミラーのアップ／ダウン、不図示の絞りの駆動、およびシャッタのチャージなどを行う。
【００１６】
シャッタ制御回路１２１は、シャッタ１２２の不図示の先幕および後幕の保持および解除をそれぞれ制御する。絞り位置検出装置１２３は、絞り値に対応する絞り位置を検出して検出信号を演算回路１０１に出力する。絞り係止装置１２４は、駆動中の絞りを係止し、所定の絞り値で絞りを停止させる。シーケンススイッチ１１９は、不図示のシーケンス駆動装置を構成し、シーケンスモータ１１８のブレーキ制御タイミングなどを発生するスイッチである。
【００１７】
オートブラケティングモード設定操作部材１２０は、オートブラケティング撮影モードの設定操作に応じて操作信号を演算回路１０１へ出力する。演算回路１０１は、入力される操作信号によってオートブラケティング撮影モードの設定および解除を行う。オートブラケティング撮影モードは、撮影時の露出ＥＶを段階的に変化させ、それぞれ異なる露出値で複数コマの撮影を行うものである。
【００１８】
本発明は、露出モードがマニュアル露出演算モード（Ｍ）の電子カメラで、撮像感度自動変更モードとオートブラケティング撮影モードとを同時に設定することを禁止したものである。とくに、第一の実施の形態では、（１）電子カメラが撮像感度自動変更モードに設定されているとき、オートブラケティング撮影モードの設定／解除を禁止し、（２）電子カメラがオートブラケティング撮影モードに設定されているとき、撮像感度自動変更モードの設定／解除を禁止する。
【００１９】
マニュアル露出演算を行う電子カメラの演算回路１０１で行われる撮像感度変更処理の流れについて、図２のフローチャートを参照して説明する。図２のフローチャートによるプログラムは、電子カメラに不図示の電池が装填されると起動する。図２のステップＳ１において、演算回路１０１は以下の初期設定を行う。すなわち、撮像感度自動変更モードフラグＳを０に、オートブラケティングモードフラグＢを０に、それぞれセットしてステップＳ２へ進む。
【００２０】
ここで、撮像感度自動変更モードフラグＳは、電子カメラが撮像感度自動変更モードに設定されると１に、撮像感度自動変更モードが解除されると０にされるフラグである。オートブラケティングモードフラグＢは、電子カメラがオートブラケティング撮影モードに設定されると１に、オートブラケティング撮影モードが解除されると０にされるフラグである。
【００２１】
ステップＳ２において、演算回路１０１は、感度設定操作部材１０９、撮像感度自動変更モード設定操作部材１１３、ならびにオートブラケティングモード設定操作部材１２０から入力される操作信号に応じて設定処理を行い、ステップＳ３へ進む。設定処理の詳細については後述する。ステップＳ３において、演算回路１０１は、撮像感度自動変更モード設定の有無、オートブラケティング撮影モード設定の有無、および設定されている撮像感度を示す表示を表示装置１１５に行わせる表示処理を行い、ステップＳ４へ進む。表示処理の詳細については後述する。
【００２２】
ステップＳ４において、演算回路１０１は、撮像感度自動変更モードフラグＳ＝１か否かを判定する。演算回路１０１は、Ｓ＝１（撮像感度自動変更モードに設定）の場合にステップＳ４を肯定判定してステップＳ５へ進み、Ｓ＝０（撮像感度自動変更モードが解除）の場合にステップＳ４を否定判定してステップＳ６へ進む。
【００２３】
ステップＳ５において、演算回路１０１は、撮像感度自動変更モードの処理を以下のように行う。すなわち、マニュアル露出演算によって算出された制御露出（ＡＶｓ＋ＴＶｓ）と適正露出ＥＶとの間の露出偏差ΔＥＶに応じて、設定撮像感度を自動的に変更する。ただし、ＡＶｓは絞り設定操作部材１１２によって設定されている絞り値であり、ＴＶｓはシャッタ速度設定操作部材１１１により設定されているシャッタ速度である。撮像感度ＳＶの変更範囲は、たとえば、５≦ＳＶ≦９であり、ＩＳＯ１００〜ＩＳＯ１６００に相当する。
【００２４】
演算回路１０１は、ステップＳ５の撮像感度自動変更モードの処理を行うとステップＳ２へ戻る。なお、演算回路１０１は、レリーズスイッチ１１４からレリーズ操作信号が入力されると、不図示の撮影シーケンス処理を行う。
【００２５】
上述したステップＳ４を否定判定して進むステップＳ６において、演算回路１０１は、オートブラケティングモードフラグＢ＝１か否かを判定する。演算回路１０１は、Ｂ＝１（オートブラケティング撮影モードに設定）の場合にステップＳ６を肯定判定してステップＳ７へ進み、Ｂ＝０（オートブラケティング撮影モードが解除）の場合にステップＳ６を否定判定してステップＳ８へ進む。
【００２６】
ステップＳ７において、演算回路１０１は、オートブラケティング撮影モードの処理を以下のように行う。すなわち、あらかじめ設定されているステップ数の補正値を設定シャッタ速度ＴＶｓに対してセットする。たとえば、３ステップの補正値をセットするように設定されている場合は、設定シャッタ速度ＴＶｓに対して−１．０段、０段、＋１．０段の補正値をセットする。なお、補正ステップ幅は適宜変更可能に構成されている。レリーズスイッチ１１４からレリーズ操作信号が入力されて不図示の撮影シーケンス処理を行う場合、１コマ撮影するごとにセットされている補正値に応じて設定シャッタ速度ＴＶｓを変更し、異なる露出で複数コマを撮影するように構成されている。
【００２７】
演算回路１０１は、ステップＳ７のオートブラケティング撮影モードの処理を行うとステップＳ２へ戻る。上述したステップＳ６を否定判定して進むステップＳ８において、演算回路１０１は、通常モード（撮像感度自動変更モードおよびオートブラケティング撮影モードがいずれも解除）の処理を行ってステップＳ２へ戻る。通常モードの場合は、設定シャッタ速度ＴＶｓおよび設定絞り値ＡＶｓにて撮影を行い、上述した撮像感度自動変更モードの処理（ステップＳ５）に比べて、撮像感度を設定されている値から変更しない点が異なる。
【００２８】
設定処理の詳細について、図３のフローチャートを参照して説明する。図３のステップＳ１０１において、演算回路１０１は、オートブラケティング撮影モードを設定または解除する操作が行われたか否かを判定する。演算回路１０１は、オートブラケティングモード設定操作部材１２０から操作信号が入力された場合にステップＳ１０１を肯定判定してステップＳ１０２へ進み、操作信号が入力されない場合にステップＳ１０１を否定判定してステップＳ１０６へ進む。
【００２９】
ステップＳ１０２において、演算回路１０１は、撮像感度自動変更モードフラグＳ＝１か否かを判定する。演算回路１０１は、Ｓ＝１（撮像感度自動変更モードに設定）の場合にステップＳ１０２を肯定判定し、図３による処理を終了して図２のステップＳ３へ進む。これにより、撮像感度自動変更モードに設定されている状態では、オートブラケティング撮影モードの設定／解除は行わない。一方、演算回路１０１は、Ｓ＝０（撮像感度自動変更モードが解除）の場合にステップＳ１０２を否定判定し、ステップＳ１０３へ進む。
【００３０】
ステップＳ１０３において、演算回路１０１は、オートブラケティングモードフラグＢ＝０か否かを判定する。演算回路１０１は、Ｂ＝０（オートブラケティング撮影モードが解除）の場合にステップＳ１０３を肯定判定してステップＳ１０４へ進み、Ｂ＝１（オートブラケティング撮影モードに設定）の場合にステップＳ１０３を否定判定してステップＳ１０５へ進む。ステップＳ１０４において、演算回路１０１は、オートブラケティング撮影モードに設定するとともに、フラグＢに１をセットして図３による処理を終了し、図２のステップＳ３へ進む。ステップＳ１０５において、演算回路１０１は、オートブラケティング撮影モードを解除するとともに、フラグＢに０をセットして図３による処理を終了し、図２のステップＳ３へ進む。
【００３１】
上述したステップＳ１０１を否定判定して進むステップＳ１０６において、演算回路１０１は、撮像感度自動変更モードを設定または解除する操作が行われたか否かを判定する。演算回路１０１は、撮像感度自動変更モード設定操作部材１１３から操作信号が入力された場合にステップＳ１０６を肯定判定してステップＳ１０７へ進み、操作信号が入力されない場合にステップＳ１０６を否定判定してステップＳ１１１へ進む。
【００３２】
ステップＳ１０７において、演算回路１０１は、オートブラケティングモードフラグＢ＝１か否かを判定する。演算回路１０１は、Ｂ＝１（オートブラケティング撮影モードに設定）の場合にステップＳ１０７を肯定判定し、図３による処理を終了して図２のステップＳ３へ進む。これにより、オートブラケティング撮影モードに設定されている状態では、撮像感度自動変更モードの設定／解除は行わない。一方、演算回路１０１は、Ｂ＝０（オートブラケティング撮影モードが解除）の場合にステップＳ１０７を否定判定し、ステップＳ１０８へ進む。
【００３３】
ステップＳ１０８において、演算回路１０１は、撮像感度自動変更モードフラグＳ＝０か否かを判定する。演算回路１０１は、Ｓ＝０（撮像感度自動変更モードが解除）の場合にステップＳ１０８を肯定判定してステップＳ１０９へ進み、Ｓ＝１（撮像感度自動変更モードに設定）の場合にステップＳ１０８を否定判定してステップＳ１１０へ進む。ステップＳ１０９において、演算回路１０１は、撮像感度自動変更モードに設定するとともに、フラグＳに１をセットして図３による処理を終了し、図２のステップＳ３へ進む。ステップＳ１１０において、演算回路１０１は、撮像感度自動変更モードを解除するとともに、フラグＳに０をセットして図３による処理を終了し、図２のステップＳ３へ進む。
【００３４】
上述したステップＳ１０６を否定判定して進むステップＳ１１１において、演算回路１０１は、設定されている撮像感度が変更されたか否かを判定する。演算回路１０１は、感度設定操作部材１０９から操作信号が入力された場合にステップＳ１１１を肯定判定してステップＳ１１２へ進み、操作信号が入力されない場合にステップＳ１１１を否定判定し、図３による処理を終了して図２のステップＳ３へ進む。ステップＳ１１２において、演算回路１０１は、設定感度変更処理を行う。すなわち、演算回路１０１は、感度設定操作部材１０９からの操作信号が感度アップを指示する場合に撮像感度をアップさせ、操作信号が感度ダウンを指示する場合に撮像感度をダウンさせる。演算回路１０１は、設定撮像感度を変更すると図３による処理を終了し、図２のステップＳ３へ進む。
【００３５】
表示処理の詳細について、図４のフローチャートを参照して説明する。図４のステップＳ２０１において、演算回路１０１は、オートブラケティングモードフラグＢ＝１か否かを判定する。演算回路１０１は、Ｂ＝１（オートブラケティング撮影モードに設定）の場合にステップＳ２０１を肯定判定してステップＳ２０２へ進み、Ｂ＝０（オートブラケティング撮影モードが解除）の場合にステップＳ２０１を否定判定してステップＳ２０３へ進む。
【００３６】
ステップＳ２０２において、演算回路１０１は、オートブラケティング撮影モードに設定されていることを示す文字もしくはマークを表示装置１１５に点灯表示させ、ステップＳ２０５へ進む。文字による表示の場合は、たとえば、「ＢＫＴ」を示す表示セグメントを表示させる。ステップＳ２０５において、演算回路１０１は、設定されている撮像感度に対応する文字を表示装置１１５に点灯表示させ、図４による処理を終了して図２のステップＳ４へ進む。たとえば、撮像感度ＳＶ＝７の場合はＩＳＯ４００に相当するので「ＩＳＯ  ４００」を示す表示セグメントを表示させる。
【００３７】
ステップＳ２０３において、演算回路１０１は、撮像感度自動変更モードフラグＳ＝１か否かを判定する。演算回路１０１は、Ｓ＝１（撮像感度自動変更モードに設定）の場合にステップＳ２０３を肯定判定してステップＳ２０４へ進み、Ｓ＝０（撮像感度自動変更モードが解除）の場合にステップＳ２０３を否定判定してステップＳ２０５へ進む。
【００３８】
ステップＳ２０４において、演算回路１０１は、撮像感度自動変更モードに設定されていることを示す文字もしくはマークを表示装置１１５に点灯表示させ、ステップＳ２０５へ進む。文字による表示の場合は、たとえば、「ＩＳＯ  Ａｕｔｏ」を示す表示セグメントを表示させる。
【００３９】
以上説明したように第一の実施の形態によれば、マニュアル露出演算を行う電子カメラが撮像感度自動変更モードに設定されている（ステップＳ１０２を肯定判定）とき、オートブラケティング撮影モードの設定／解除をしない（禁止する）ようにする。この一方で、電子カメラがオートブラケティング撮影モードに設定されている（ステップＳ１０７を肯定判定）とき、撮像感度自動変更モードの設定／解除をしない（禁止する）ようにした。したがって、撮像感度自動変更モードの処理（ステップＳ５）によって撮像感度をＩＳＯ１００相当〜ＩＳＯ１６００相当の範囲の中で自動変更する動作と、オートブラケティング撮影モードの処理（ステップＳ７）によって１コマ撮影するごとに設定シャッタ速度ＴＶｓを変更する動作とが択一的に行われ、お互いの動作が競合することを防止できる。
【００４０】
さらに、撮影者がモード解除操作を行わない限り、撮像感度自動変更モードからオートブラケティング撮影モードへ、またはオートブラケティング撮影モードから撮像感度自動変更モードへのモード変更をしないので、電子カメラが撮影者の意図に反する動作を行うことが防止される。
【００４１】
上述した説明では、電子カメラのマニュアル露出演算モード（Ｍ）時の動作を中心に説明した。この代わりに、電子カメラがマニュアル露出演算モード（Ｍ）以外の露出モード（すなわち、プログラムオート露出演算モード（Ｐ）、絞り値優先露出演算モード（Ａ）、およびシャッタ速度優先（露光時間優先）露出演算モード（Ｓ）のいずれか）に設定されている場合にも、撮像感度自動変更モードの処理およびオートブラケティング撮影モードの処理を択一的に行うようにしてもよい。
【００４２】
上述した電子カメラは、露出モード設定操作部材１１０によってプログラムオート露出演算モード（Ｐ）、絞り値優先露出演算モード（Ａ）、シャッタ速度優先（露光時間優先）露出演算モード（Ｓ）、およびマニュアル露出演算モード（Ｍ）のいずれかへ切り換え可能なものとして説明した。この代わりに、マニュアル露出演算モード（Ｍ）しか備えていない電子カメラに本発明を適用してもよい。
【００４３】
（第二の実施の形態）
第二の実施の形態は、（１）電子カメラが撮像感度自動変更モードに設定されているとき、オートブラケティング撮影モードの設定／解除を禁止し、（２）撮像感度自動変更モードの設定／解除について、電子カメラがオートブラケティング撮影モードに設定されているか否かにかかわらず優先して行うものである。図５は、第二の実施の形態による設定処理の詳細を説明するフローチャートである。図５において、図３と同一の処理を行うステップは図３と同一の符号を記して説明を省略する。
【００４４】
演算回路１０１は、ステップＳ１０６を肯定判定するとステップＳ１０８へ進む。ステップＳ１０９の次に進むステップＳ１２１において、演算回路１０１は、オートブラケティングモードフラグＢ＝１か否かを判定する。演算回路１０１は、Ｂ＝１（オートブラケティング撮影モードに設定）の場合にステップＳ１２１を肯定判定してステップＳ１２２へ進み、Ｂ＝０（オートブラケティング撮影モードが解除）の場合にステップＳ１２１を否定判定し、図５による処理を終了して図２のステップＳ３へ進む。
【００４５】
ステップＳ１２２において、演算回路１０１は、オートブラケティング撮影モードを解除するとともに、フラグＢに０をセットして図５による処理を終了し、図２のステップＳ３へ進む。
【００４６】
以上説明したように第二の実施の形態によれば、マニュアル露出演算を行う電子カメラが撮像感度自動変更モードに設定されている（ステップＳ１０２を肯定判定）とき、オートブラケティング撮影モードの設定／解除をしない（禁止する）ようにする。この一方で、電子カメラに撮像感度自動変更モードの設定／解除操作が行われる（ステップＳ１０６を肯定判定）と、操作に応じて撮像感度自動変更モードの設定／解除を行い、オートブラケティング撮影モードが設定されていた場合（ステップＳ１２１を肯定判定）にはオートブラケティング撮影モードを解除する（ステップＳ１２２）ようにした。したがって、第一の実施の形態と同様に、撮像感度自動変更モードの処理（ステップＳ５）、ならびにオートブラケティング撮影モードの処理（ステップＳ７）が競合することを防止できる。
【００４７】
さらに、撮影者が撮像感度自動変更モードを解除する操作を行わない限り、撮像感度自動変更モードからオートブラケティング撮影モードへのモード変更をしないので、電子カメラが撮影者の意図に反する動作を行うことが防止される。
【００４８】
さらにまた、撮影者がオートブラケティング撮影モードを解除する操作を行わなくても、オートブラケティング撮影モードから撮像感度自動変更モードへのモード変更をするようにしたので、撮像感度自動変更モードの設定／解除操作を優先して行うことができる。
【００４９】
（第三の実施の形態）
第三の実施の形態は、（１）電子カメラがオートブラケティング撮影モードに設定されているとき、撮像感度自動変更モードの設定／解除を禁止し、（２）オートブラケティング撮影モードの設定／解除について、電子カメラが撮像感度自動変更モードに設定されているか否かにかかわらず優先して行うものである。図６は、第三の実施の形態による設定処理の詳細を説明するフローチャートである。図６において、図３と同一の処理を行うステップは図３と同一の符号を記して説明を省略する。
【００５０】
演算回路１０１は、ステップＳ１０１を肯定判定するとステップＳ１０３へ進む。ステップＳ１０４の次に進むステップＳ１３１において、演算回路１０１は、撮像感度自動変更モードフラグＳ＝１か否かを判定する。演算回路１０１は、Ｓ＝１（撮像感度自動変更モードに設定）の場合にステップＳ１３１を肯定判定してステップＳ１３２へ進み、Ｓ＝０（撮像感度自動変更モードが解除）の場合にステップＳ１３１を否定判定し、図６による処理を終了して図２のステップＳ３へ進む。
【００５１】
ステップＳ１３２において、演算回路１０１は、撮像感度自動変更モードを解除するとともに、フラグＳに０をセットして図６による処理を終了し、図２のステップＳ３へ進む。
【００５２】
以上説明したように第三の実施の形態によれば、マニュアル露出演算を行う電子カメラがオートブラケティング撮影モードに設定されている（ステップＳ１０７を肯定判定）とき、撮像感度自動変更モードの設定／解除をしない（禁止する）ようにする。この一方で、電子カメラにオートブラケティング撮影モード設定／解除操作が行われる（ステップＳ１０１を肯定判定）と、操作に応じてオートブラケティング撮影モードの設定／解除を行い、撮像感度自動変更モードが設定されていた場合（ステップＳ１３１を肯定判定）には撮像感度自動変更モードを解除する（ステップＳ１３２）ようにした。したがって、第一の実施の形態および第二の実施の形態と同様に、撮像感度自動変更モードの処理（ステップＳ５）、ならびにオートブラケティング撮影モードの処理（ステップＳ７）が競合することを防止できる。
【００５３】
さらに、撮影者がオートブラケティング撮影モードを解除する操作を行わない限り、オートブラケティング撮影モードから撮像感度自動変更モードへモード変更をしないので、電子カメラが撮影者の意図に反する動作を行うことが防止される。
【００５４】
さらにまた、撮影者が撮像感度自動変更モードを解除する操作を行わなくても、撮像感度自動変更モードからオートブラケティング撮影モードへモード変更をするようにしたので、オートブラケティング撮影モードの設定／解除操作を優先して行うことができる。
【００５５】
図７は、上述した第三の実施の形態による設定処理の変形例を説明するフローチャートである。図７において、図６と同一の処理を行うステップは、図６と同一の符号を記して説明を省略する。ステップＳ１２１およびステップＳ１２２は、それぞれ図５の同一符号の処理と同一なので説明を省略する。この処理によれば、電子カメラにオートブラケティング撮影モードおよび撮像感度自動変更モードの両モードの設定操作が行われると、後から設定操作されたモードを優先し、先に設定操作されていたモードを解除する。したがって、第一の実施の形態ないし第三の実施の形態と同様に、撮像感度自動変更モードの処理（ステップＳ５）、ならびにオートブラケティング撮影モードの処理（ステップＳ７）が競合することを防止できる。
【００５６】
（第四の実施の形態）
オートブラケティング設定操作部材１２０と、撮像感度自動変更モード設定操作部材１１３とを、たとえば、ロータリスイッチなどの同一の操作部材で構成してもよい。第四の実施の形態は、このような同一の操作部材でオートブラケティング撮影モードおよび撮像感度自動変更モードを択一的に設定するものである。
【００５７】
図８は、第四の実施の形態による設定処理の詳細を説明するフローチャートである。ステップＳ３０１において、演算回路１０１は、操作部材（ロータリスイッチ）がオートブラケティングモードを設定する位置に操作されているか否かを判定する。演算回路１０１は、操作部材（ロータリスイッチ）がオートブラケティングモードの位置に設定されていると、ステップＳ３０１を肯定判定してステップＳ３０２へ進み、オートブラケティングモードの位置に設定されていない場合は、ステップＳ３０１を否定判定してステップＳ３０３へ進む。
【００５８】
ステップＳ３０２において、演算回路１０１は、オートブラケティング撮像モードに設定してフラグＢに１をセットするとともに、撮像感度自動変更モードを解除してフラグＳに０をセットし、ステップＳ３０６へ進む。
【００５９】
ステップＳ３０１を否定判定して進むステップＳ３０３において、演算回路１０１は、操作部材（ロータリスイッチ）が撮像感度自動変更モードの位置に操作されているか否かを判定する。演算回路１０１は、操作部材（ロータリスイッチ）が撮像感度自動変更モードの位置に設定されていると、ステップＳ３０３を肯定判定してステップＳ３０４へ進み、撮像感度自動変更モードの位置に設定されていない場合は、ステップＳ３０３を否定判定してステップＳ３０５へ進む。
【００６０】
ステップＳ３０４において、演算回路１０１は、撮像感度自動変更モードに設定してフラグＳに１をセットするとともに、オートブラケティング撮影モードを解除してフラグＢに０をセットし、ステップＳ３０６へ進む。
【００６１】
ステップＳ３０３を否定判定して進むステップＳ３０５において、演算回路１０１は、オートブラケティング撮影モードを解除してフラグＢに０をセットするとともに、撮像感度自動変更モードを解除してフラグＳに０をセットし、ステップＳ３０６へ進む。ステップＳ３０６において、演算回路１０１は、設定されている撮像感度が変更されたか否かを判定する。演算回路１０１は、感度設定操作部材１０９から操作信号が入力された場合にステップＳ３０６を肯定判定してステップＳ３０７へ進み、操作信号が入力されない場合にステップＳ３０６を否定判定し、図８による処理を終了して図２のステップＳ３へ進む。
【００６２】
ステップＳ３０７において、演算回路１０１は、設定感度変更処理を行う。すなわち、演算回路１０１は、感度設定操作部材１０９からの操作信号が感度アップを指示する場合に撮像感度をアップさせ、操作信号が感度ダウンを指示する場合に撮像感度をダウンさせる。演算回路１０１は、設定撮像感度を変更すると図８による処理を終了し、図２のステップＳ３へ進む。
【００６３】
以上説明した第四の実施の形態によれば、オートブラケティング設定操作部材１２０および撮像感度自動変更モード設定操作部材１１３をロータリスイッチなどの同一の操作部材で構成し、一方を設定すると他方が解除されるようにした。このため、第一の実施の形態〜第三の実施の形態と同様に、撮像感度自動変更モードの処理（ステップＳ５）、ならびにオートブラケティング撮影モードの処理（ステップＳ７）が競合することを防止できる。
【００６４】
（第五の実施の形態）
第一の実施の形態〜第四の実施の形態では、マニュアル露出演算を行う電子カメラについて説明したが、第五の実施の形態では、露出モード設定操作部材１１０によって設定される露出モードに応じて撮像感度を変更する。
【００６５】
図９は、第五の実施の形態による電子カメラの演算回路１０１で行われる撮像感度変更処理の流れを説明するフローチャートである。図９のフローチャートによるプログラムは、電子カメラに不図示の電池が装填されると起動する。図９のステップＳ１１において、演算回路１０１は、以下の初期設定を行う。すなわち、撮像感度自動変更モードフラグＳを０に、オートブラケティングモードフラグＢを０に、露出モードパラメータＭを１に、それぞれセットしてステップＳ１２へ進む。
【００６６】
ここで、露出モードパラメータＭは、電子カメラがプログラムオート露出演算モード（Ｐ）に設定されると１に、シャッタ速度優先（露光時間優先）露出演算モード（Ｓ）に設定されると２に、絞り値優先露出演算モード（Ａ）に設定されると３に、マニュアル露出演算モード（Ｍ）に設定されると４に、それぞれセットされるパラメータである。
【００６７】
ステップＳ１２において、演算回路１０１は、露出モード設定操作部材１１０、感度設定操作部材１０９、撮像感度自動変更モード設定操作部材１１３、ならびにオートブラケティングモード設定操作部材１２０から入力される操作信号に応じて設定Ａ処理を行い、ステップＳ１３へ進む。設定Ａ処理の詳細については後述する。ステップＳ１３において、演算回路１０１は、撮像感度自動変更モード設定の有無、オートブラケティング撮影モード設定の有無、設定されている露出演算モード、および設定感度などを示す表示を表示装置１１５に行わせる表示Ａ処理を行い、ステップＳ１４へ進む。表示Ａ処理の詳細については後述する。
【００６８】
ステップＳ１４において、演算回路１０１は、露出モードパラメータＭ＝４か否かを判定する。演算回路１０１は、Ｍ＝４（マニュアル露出演算モード（Ｍ）の場合にステップＳ１４を肯定判定してステップＳ２２へ進み、Ｍ≠４（マニュアル露出演算モード（Ｍ）でない）場合にステップＳ１４を否定判定し、ステップＳ１５へ進む。
【００６９】
ステップＳ１５において、演算回路１０１は、撮像感度自動変更モードフラグＳ＝１か否かを判定する。演算回路１０１は、Ｓ＝１（撮像感度自動変更モードに設定）の場合にステップＳ１５を肯定判定してステップＳ１６へ進み、Ｓ＝０（撮像感度自動変更モードが解除）の場合にステップＳ１５を否定判定してステップＳ１９へ進む。
【００７０】
ステップＳ１６において、演算回路１０１は、オートブラケティングモードフラグＢ＝１か否かを判定する。演算回路１０１は、Ｂ＝１（オートブラケティング撮影モードに設定）の場合にステップＳ１６を肯定判定してステップＳ１７へ進み、Ｂ＝０（オートブラケティング撮影モードが解除）の場合にステップＳ１６を否定判定してステップＳ１８へ進む。
【００７１】
ステップＳ１７において、演算回路１０１は、撮像感度自動変更モードの処理およびオートブラケティング撮影モードの処理をそれぞれ行う。撮像感度自動変更モードの処理は、以下のように行う。
【００７２】
（１）電子カメラがプログラムオート露出演算モード（Ｐ）に設定されているとき、プログラムオート露出演算によって算出された制御露出（ＡＶｃ＋ＴＶｃ）と適正露出ＥＶとの間の露出偏差ΔＥＶに応じて、設定撮像感度を自動的に変更する。ただし、ＡＶｃは演算される制御絞り値であり、ＴＶｃは演算される制御シャッタ速度である。撮像感度ＳＶの変更範囲は、たとえば、５≦ＳＶ≦９であり、ＩＳＯ１００〜ＩＳＯ１６００に相当する。
【００７３】
（２）電子カメラがシャッタ速度優先露出演算モード（Ｓ）に設定されているとき、シャッタ速度優先露出演算によって算出された制御露出（ＡＶｃ＋ＴＶｓ）と適正露出ＥＶとの間の露出偏差ΔＥＶに応じて、設定撮像感度を自動的に変更する。ただし、ＡＶｃは演算される制御絞り値であり、ＴＶｓはシャッタ速度設定操作部材１１１により設定されているシャッタ速度である。撮像感度ＳＶの変更範囲は、上記（１）と同様にＩＳＯ１００〜ＩＳＯ１６００相当とする。
【００７４】
（３）電子カメラが絞り値優先露出演算モード（Ａ）に設定されているとき、絞り値優先露出演算によって算出された制御露出（ＡＶｓ＋ＴＶｃ）と適正露出ＥＶとの間の露出偏差ΔＥＶに応じて、設定撮像感度を自動的に変更する。ただし、ＡＶｓは絞り設定操作部材１１２によって設定されている絞り値であり、ＴＶｃは演算される制御シャッタ速度である。撮像感度ＳＶの変更範囲は、上記（１）と同様にＩＳＯ１００〜ＩＳＯ１６００相当とする。
【００７５】
オートブラケティング撮影モードの処理は、以下のように行う。演算回路１０１は、ステップＳ１７による処理を行うとステップＳ１２へ戻る。
（１）電子カメラがプログラムオート露出演算モード（Ｐ）に設定されているとき、あらかじめ設定されているステップ数の露出補正値を制御露出に対してセットする。たとえば、３ステップの補正値をセットするように設定されている場合は、制御露出に対して−１．０段、０段、＋１．０段の補正値をセットする。レリーズスイッチ１１４からレリーズ操作信号が入力されて不図示の撮影シーケンス処理を行う場合、１コマ撮影するごとにセットされている補正値に応じてシャッタ速度および絞り値を変更し、異なる露出で複数コマを撮影するように構成されている。
【００７６】
（２）電子カメラがシャッタ速度優先露出演算モード（Ｓ）に設定されているとき、上記（１）と同様に、あらかじめ設定されているステップ数の補正値を制御露出に対してセットする。レリーズスイッチ１１４からレリーズ操作信号が入力されて不図示の撮影シーケンス処理を行う場合、１コマ撮影するごとにセットされている補正値に応じて絞り値を変更し、異なる露出で複数コマを撮影するように構成されている。
【００７７】
（３）電子カメラが絞り値優先露出演算モード（Ａ）に設定されているとき、上記（１）と同様に、あらかじめ設定されているステップ数の補正値を制御露出に対してセットする。レリーズスイッチ１１４からレリーズ操作信号が入力されて不図示の撮影シーケンス処理を行う場合、１コマ撮影するごとにセットされている補正値に応じてシャッタ速度を変更し、異なる露出で複数コマを撮影するように構成されている。
【００７８】
ステップＳ１６を否定判定して進むステップＳ１８において、演算回路１０１は、上述したように、設定されている露出演算モードに応じた撮像感度自動変更モードの処理を行ってステップＳ１２へ戻る。上述したステップＳ１５を否定判定して進むステップＳ１９において、演算回路１０１は、オートブラケティングモードフラグＢ＝１か否かを判定する。演算回路１０１は、Ｂ＝１（オートブラケティング撮影モードに設定）の場合にステップＳ１９を肯定判定してステップＳ２０へ進み、Ｂ＝０（オートブラケティング撮影モードが解除）の場合にステップＳ１９を否定判定してステップＳ２１へ進む。
【００７９】
ステップＳ２０において、演算回路１０１は、設定されている露出演算モードによる露出演算によって算出された制御露出に対し、あらかじめ設定されているステップ数およびステップ幅の露出補正値をセットするオートブラケティング撮影モードの処理を行ってステップＳ１２へ戻る。ステップＳ２１において、演算回路１０１は、通常モード（撮像感度自動変更モードおよびオートブラケティング撮影モードがいずれも解除）の処理を行ってステップＳ１２へ戻る。
【００８０】
上述したステップＳ１４を肯定判定して進むステップＳ２２において、演算回路１０１は、撮像感度自動変更モードフラグＳ＝１か否かを判定する。演算回路１０１は、Ｓ＝１（撮像感度自動変更モードに設定）の場合にステップＳ２２を肯定判定してステップＳ２３へ進み、Ｓ＝０（撮像感度自動変更モードが解除）の場合にステップＳ２２を否定判定してステップＳ２４へ進む。
【００８１】
ステップＳ２３において、演算回路１０１は、マニュアル露出演算モードによる露出演算によって算出された制御露出（ＡＶｓ＋ＴＶｓ）と適正露出ＥＶとの間の露出偏差ΔＥＶに応じて、設定撮像感度を自動的に変更する撮像感度自動変更モードの処理を行い、ステップＳ１２へ戻る。
【００８２】
ステップＳ２４において、演算回路１０１は、オートブラケティングモードフラグＢ＝１か否かを判定する。演算回路１０１は、Ｂ＝１（オートブラケティング撮影モードに設定）の場合にステップＳ２４を肯定判定してステップＳ２５へ進み、Ｂ＝０（オートブラケティング撮影モードが解除）の場合にステップＳ２４を否定判定してステップＳ２６へ進む。
【００８３】
ステップＳ２５において、演算回路１０１は、マニュアル露出演算モードにおいて設定された露出（ＡＶｓ＋ＴＶｓ）に対し、あらかじめ設定されているステップ数およびステップ幅にシャッタ速度ＴＶｓを変化させるオートブラケティング撮影モードの処理を行ってステップＳ１２へ戻る。ただし、ＡＶｓは絞り設定操作部材１１２によって設定されている絞り値であり、ＴＶｓはシャッタ速度設定操作部材１１１により設定されているシャッタ速度である。ステップＳ２６において、演算回路１０１は、通常モード（撮像感度自動変更モードおよびオートブラケティング撮影モードがいずれも解除）の処理を行ってステップＳ１２へ戻る。
【００８４】
設定Ａ処理の詳細について、図１０および図１１のフローチャートを参照して説明する。図１０のステップＳ１００１において、演算回路１０１は、露出モードの変更操作が行われたか否かを判定する。演算回路１０１は、露出モード設定操作部材１１０から操作信号が入力された場合にステップＳ１００１を肯定判定してステップＳ１００２へ進み、操作信号が入力されない場合にステップＳ１００１を否定判定し、図１１のステップＳ４０１へ進む。
【００８５】
ステップＳ１００２において、演算回路１０１は、露出モードパラメータＭ＝４か否かを判定する。演算回路１０１は、Ｍ＝４（マニュアル露出演算モード（Ｍ））の場合にステップＳ１００２を肯定判定してステップＳ１００４へ進み、Ｍ≠４（マニュアル露出演算モード（Ｍ）でない）場合にステップＳ１００２を否定判定し、ステップＳ１００３へ進む。
【００８６】
ステップＳ１００３において、演算回路１０１は、露出モードパラメータＭの値を＋１してステップＳ１００５へ進む。ステップＳ１００４において、演算回路１０１は、露出モードパラメータＭの値を１（プログラムオート露出演算モード（Ｐ））にしてステップＳ１００５へ進む。以上により、露出モード設定操作部材１１０から操作信号が入力されるごとに、露出モードがサイクリックに変更される。
【００８７】
ステップＳ１００５において、演算回路１０１は、露出モードパラメータＭ＝４か否かを判定する。演算回路１０１は、Ｍ＝４（マニュアル露出演算モード（Ｍ））の場合にステップＳ１００５を肯定判定してステップＳ１００６へ進み、Ｍ≠４（マニュアル露出演算モード（Ｍ）でない）場合にステップＳ１００５を否定判定して図１０による処理を終了し、図９のステップＳ１３へ進む。
【００８８】
ステップＳ１００６において、演算回路１０１は、撮像感度自動変更モードフラグＳ＝１か否かを判定する。演算回路１０１は、Ｓ＝１（撮像感度自動変更モードに設定）の場合にステップＳ１００６を肯定判定してステップＳ１００７へ進み、Ｓ＝０（撮像感度自動変更モードが解除）の場合にステップＳ１００６を否定判定して図１０による処理を終了し、図９のステップＳ１３へ進む。
【００８９】
ステップＳ１００７において、演算回路１０１は、オートブラケティングモードフラグＢ＝１か否かを判定する。演算回路１０１は、Ｂ＝１（オートブラケティング撮影モードに設定）の場合にステップＳ１００７を肯定判定してステップＳ１００８へ進み、Ｂ＝０（オートブラケティング撮影モードが解除）の場合にステップＳ１００７を否定判定して図１０による処理を終了し、図９のステップＳ１３へ進む。
【００９０】
ステップＳ１００８において、演算回路１０１は、オートブラケティング撮影モードを解除するとともに、フラグＢに０をセットして図１０による処理を終了し、図９のステップＳ１３へ進む。これにより、撮像感度自動変更モードおよびオートブラケティング撮影モードがともに設定された状態でマニュアル露出演算モード（Ｍ）に変更操作されると、オートブラケティング撮影モードが解除される。
【００９１】
上述したステップＳ１００１を否定判定して進む図１１のステップＳ４０１において、演算回路１０１は、オートブラケティング撮影モードを設定または解除する操作が行われたか否かを判定する。演算回路１０１は、オートブラケティングモード設定操作部材１２０から操作信号が入力された場合にステップＳ４０１を肯定判定してステップＳ４０２へ進み、操作信号が入力されない場合にステップＳ４０１を否定判定し、ステップＳ４０７へ進む。
【００９２】
ステップＳ４０２において、演算回路１０１は、露出モードパラメータＭ＝４か否かを判定する。演算回路１０１は、Ｍ＝４（マニュアル露出演算モード（Ｍ））の場合にステップＳ４０２を肯定判定してステップＳ４０３へ進み、Ｍ≠４（マニュアル露出演算モード（Ｍ）でない）場合にステップＳ４０２を否定判定し、ステップＳ４０４へ進む。
【００９３】
ステップＳ４０３において、演算回路１０１は、撮像感度自動変更モードフラグＳ＝１か否かを判定する。演算回路１０１は、Ｓ＝１（撮像感度自動変更モードに設定）の場合にステップＳ４０３を肯定判定し、図１１による処理を終了して図９のステップＳ１３へ進む。これにより、マニュアル露出演算モード（Ｍ）時に撮像感度自動変更モードに設定されている状態では、オートブラケティング撮影モードの設定／解除は行わない。一方、演算回路１０１は、Ｓ＝０（撮像感度自動変更モードが解除）の場合にステップＳ４０３を否定判定し、ステップＳ４０４へ進む。
【００９４】
ステップＳ４０４において、演算回路１０１は、オートブラケティングモードフラグＢ＝０か否かを判定する。演算回路１０１は、Ｂ＝０（オートブラケティング撮影モードが解除）の場合にステップＳ４０４を肯定判定してステップＳ４０５へ進み、Ｂ＝１（オートブラケティング撮影モードに設定）の場合にステップＳ４０４を否定判定してステップＳ４０６へ進む。ステップＳ４０５において、演算回路１０１は、オートブラケティング撮影モードに設定するとともに、フラグＢに１をセットして図１１による処理を終了し、図９のステップＳ１３へ進む。ステップＳ４０６において、演算回路１０１は、オートブラケティング撮影モードを解除するとともに、フラグＢに０をセットして図１１による処理を終了し、図９のステップＳ１３へ進む。
【００９５】
上述したステップＳ４０１を否定判定して進むステップＳ４０７において、演算回路１０１は、撮像感度自動変更モードを設定または解除する操作が行われたか否かを判定する。演算回路１０１は、撮像感度自動変更モード設定操作部材１１３から操作信号が入力された場合にステップＳ４０７を肯定判定してステップＳ４０８へ進み、操作信号が入力されない場合にステップＳ４０７を否定判定してステップＳ４１３へ進む。
【００９６】
ステップＳ４０８において、演算回路１０１は、露出モードパラメータＭ＝４か否かを判定する。演算回路１０１は、Ｍ＝４（マニュアル露出演算モード（Ｍ））の場合にステップＳ４０８を肯定判定してステップＳ４０９へ進み、Ｍ≠４（マニュアル露出演算モード（Ｍ）でない）場合にステップＳ４０８を否定判定し、ステップＳ４１０へ進む。
【００９７】
ステップＳ４０９において、演算回路１０１は、オートブラケティングモードフラグＢ＝１か否かを判定する。演算回路１０１は、Ｂ＝１（オートブラケティング撮影モードに設定）の場合にステップＳ４０９を肯定判定し、図１１による処理を終了して図９のステップＳ１３へ進む。これにより、マニュアル露出演算モード（Ｍ）時にオートブラケティング撮影モードに設定されている状態では、撮像感度自動変更モードの設定／解除は行わない。一方、演算回路１０１は、Ｂ＝０（オートブラケティング撮影モードが解除）の場合にステップＳ４０９を否定判定し、ステップＳ４１０へ進む。
【００９８】
ステップＳ４１０において、演算回路１０１は、撮像感度自動変更モードフラグＳ＝０か否かを判定する。演算回路１０１は、Ｓ＝０（撮像感度自動変更モードが解除）の場合にステップＳ４１０を肯定判定してステップＳ４１１へ進み、Ｓ＝１（撮像感度自動変更モードに設定）の場合にステップＳ４１０を否定判定してステップＳ４１２へ進む。ステップＳ４１１において、演算回路１０１は、撮像感度自動変更モードに設定するとともに、フラグＳに１をセットして図１１による処理を終了し、図９のステップＳ１３へ進む。ステップＳ４１２において、演算回路１０１は、撮像感度自動変更モードを解除するとともに、フラグＳに０をセットして図１１による処理を終了し、図９のステップＳ１３へ進む。
【００９９】
上述したステップＳ４０７を否定判定して進むステップＳ４１３において、演算回路１０１は、設定されている撮像感度が変更されたか否かを判定する。演算回路１０１は、感度設定操作部材１０９から操作信号が入力された場合にステップＳ４１３を肯定判定してステップＳ４２２へ進み、操作信号が入力されない場合にステップＳ４１３を否定判定し、ステップＳ４１４へ進む。
【０１００】
ステップＳ４１４において、演算回路１０１は、露出モードパラメータＭ＝２か否かを判定する。演算回路１０１は、Ｍ＝２（シャッター速度優先露出演算モード（Ｓ））の場合にステップＳ４１４を肯定判定してステップＳ４１６へ進み、Ｍ≠２（シャッター速度優先露出演算モード（Ｓ）でない）場合にステップＳ４１４を否定判定し、ステップＳ４１５へ進む。
【０１０１】
ステップＳ４１５において、演算回路１０１は、露出モードパラメータＭ＝４か否かを判定する。演算回路１０１は、Ｍ＝４（マニュアル露出演算モード（Ｍ））の場合にステップＳ４１５を肯定判定してステップＳ４１６へ進み、Ｍ≠４（マニュアル露出演算モード（Ｍ）でない）場合にステップＳ４１５を否定判定し、ステップＳ４１８へ進む。
【０１０２】
ステップＳ４１６において、演算回路１０１は、設定されているシャッター速度が変更されたか否かを判定する。演算回路１０１は、シャッター速度設定操作部材１１１から操作信号が入力された場合にステップＳ４１６を肯定判定してステップＳ４１７へ進み、操作信号が入力されない場合にステップＳ４１６を否定判定してステップＳ４１８へ進む。
【０１０３】
ステップＳ４１７において、演算回路１０１は、設定シャッター速度変更処理を行う。すなわち、演算回路１０１は、シャッター速度設定操作部材１１１からの操作信号が高速化を指示する場合にシャッター速度を高速側に変更し、操作信号が低速化を指示する場合にシャッター速度を低速側に変更する。演算回路１０１は、設定シャッター速度を変更すると図１１による処理を終了し、図９のステップＳ１３へ進む。
【０１０４】
ステップＳ４１８において、演算回路１０１は、露出モードパラメータＭ＝３か否かを判定する。演算回路１０１は、Ｍ＝３（絞り値優先露出演算モード（Ａ））の場合にステップＳ４１８を肯定判定してステップＳ４２０へ進み、Ｍ≠３（絞り値優先露出演算モード（Ａ）でない）場合にステップＳ４１８を否定判定し、ステップＳ４１９へ進む。
【０１０５】
ステップＳ４１９において、演算回路１０１は、露出モードパラメータＭ＝４か否かを判定する。演算回路１０１は、Ｍ＝４（マニュアル露出演算モード（Ｍ））の場合にステップＳ４１９を肯定判定してステップＳ４２０へ進み、Ｍ≠４（マニュアル露出演算モード（Ｍ）でない）場合にステップＳ４１９を否定判定し、図１１による処理を終了して図９のステップＳ１３へ進む。
【０１０６】
ステップＳ４２０において、演算回路１０１は、設定されている絞り値が変更されたか否かを判定する。演算回路１０１は、絞り設定操作部材１１２から操作信号が入力された場合にステップＳ４２０を肯定判定してステップＳ４２１へ進み、操作信号が入力されない場合にステップＳ４２０を否定判定し、図１１による処理を終了して図９のステップＳ１３へ進む。
【０１０７】
ステップＳ４２１において、演算回路１０１は、設定絞り値変更処理を行う。すなわち、演算回路１０１は、絞り設定操作部材１１２からの操作信号が絞り込むように指示する場合に絞り値を大きい側に変更し、操作信号が絞りを開くように指示する場合に絞り値を小さい側に変更する。演算回路１０１は、設定絞り値を変更すると図１１による処理を終了し、図９のステップＳ１３へ進む。
【０１０８】
上述したステップＳ４１３を肯定判定して進むステップＳ４２２において、演算回路１０１は、設定感度変更処理を行う。すなわち、演算回路１０１は、感度設定操作部材１０９からの操作信号が感度アップを指示する場合に撮像感度をアップさせ、操作信号が感度ダウンを指示する場合に撮像感度をダウンさせる。演算回路１０１は、設定撮像感度を変更すると図１１による処理を終了し、図９のステップＳ１３へ進む。
【０１０９】
表示Ａ処理の詳細について、図１２のフローチャートを参照して説明する。図１２のステップＳ５０１において、演算回路１０１は、撮像感度自動変更モードフラグＳ＝１か否かを判定する。演算回路１０１は、Ｓ＝１（撮像感度自動変更モードに設定）の場合にステップＳ５０１を肯定判定してステップＳ５０２へ進み、Ｓ＝０（撮像感度自動変更モードが解除）の場合にステップＳ５０１を否定判定してステップＳ５０５へ進む。
【０１１０】
ステップＳ５０２において、演算回路１０１は、オートブラケティングモードフラグＢ＝１か否かを判定する。演算回路１０１は、Ｂ＝１（オートブラケティング撮影モードに設定）の場合にステップＳ５０２を肯定判定してステップＳ５０３へ進み、Ｂ＝０（オートブラケティング撮影モードが解除）の場合にステップＳ５０２を否定判定してステップＳ５０４へ進む。
【０１１１】
ステップＳ５０３において、演算回路１０１は、撮像感度自動変更モードおよびオートブラケティング撮影モードに設定されていることを示す文字もしくはマークを表示装置１１５に点灯表示させ、ステップＳ５０８へ進む。撮像感度自動変更モードを示す表示は、たとえば、「ＩＳＯ  Ａｕｔｏ」を示す表示セグメントを表示させる。オートブラケティング撮影モードを示す表示は、たとえば、「ＢＫＴ」を示す表示セグメントを表示させる。
【０１１２】
ステップＳ５０４において、演算回路１０１は、撮像感度自動変更モードに設定されていることを示す文字もしくはマークを表示装置１１５に点灯表示させ、ステップＳ５０８へ進む。
【０１１３】
ステップＳ５０５において、演算回路１０１は、オートブラケティングモードフラグＢ＝１か否かを判定する。演算回路１０１は、Ｂ＝１（オートブラケティング撮影モードに設定）の場合にステップＳ５０５を肯定判定してステップＳ５０６へ進み、Ｂ＝０（オートブラケティング撮影モードが解除）の場合にステップＳ５０５を否定判定してステップＳ５０７へ進む。
【０１１４】
ステップＳ５０６において、演算回路１０１は、オートブラケティング撮影モードに設定されていることを示す文字もしくはマークを表示装置１１５に点灯表示させ、ステップＳ５０８へ進む。
【０１１５】
ステップＳ５０７において、演算回路１０１は、通常モードを示す表示を行ってステップＳ５０８へ進む。通常モードとは、撮像感度自動変更モードおよびオートブラケティング撮影モードがいずれも解除されていることをいう。
【０１１６】
ステップＳ５０８において、演算回路１０１は、露出モードパラメータＭ＝１か否かを判定する。演算回路１０１は、Ｍ＝１（プログラムオート露出演算モード（Ｐ））の場合にステップＳ５０８を肯定判定してステップＳ５０９へ進み、Ｍ≠１（プログラムオート露出演算モード（Ａ）でない）場合にステップＳ５０８を否定判定し、ステップＳ５１０へ進む。
【０１１７】
ステップＳ５０９において、演算回路１０１は、プログラムオート露出演算モード（Ｐ）、および設定されている撮像感度に対応する文字もしくはマークを表示装置１１５にそれぞれ点灯表示させ、図１２による処理を終了して図９のステップＳ１４へ進む。
【０１１８】
ステップＳ５１０において、演算回路１０１は、露出モードパラメータＭ＝２か否かを判定する。演算回路１０１は、Ｍ＝２（シャッター速度優先露出演算モード（Ｓ））の場合にステップＳ５１０を肯定判定してステップＳ５１１へ進み、Ｍ≠２（シャッター速度優先露出演算モード（Ｓ）でない）場合にステップＳ５１０を否定判定し、ステップＳ５１２へ進む。
【０１１９】
ステップＳ５１１において、演算回路１０１は、シャッター速度優先露出演算モード（Ｓ）、設定されている撮像感度、および設定されているシャッター速度に対応する文字もしくはマークを表示装置１１５にそれぞれ点灯表示させ、図１２による処理を終了して図９のステップＳ１４へ進む。
【０１２０】
ステップＳ５１２において、演算回路１０１は、露出モードパラメータＭ＝３か否かを判定する。演算回路１０１は、Ｍ＝３（絞り値優先露出演算モード（Ａ））の場合にステップＳ５１２を肯定判定してステップＳ５１３へ進み、Ｍ≠３（絞り値優先露出演算モード（Ａ）でない）場合にステップＳ５１２を否定判定し、ステップＳ５１４へ進む。
【０１２１】
ステップＳ５１３において、演算回路１０１は、絞り値優先露出演算モード（Ａ）、設定されている撮像感度、および設定されている絞り値に対応する文字もしくはマークを表示装置１１５にそれぞれ点灯表示させ、図１２による処理を終了して図９のステップＳ１４へ進む。
【０１２２】
ステップＳ５１４において、演算回路１０１は、マニュアル露出演算モード（Ｍ）、設定されている撮像感度、設定されているシャッター速度、および設定されている絞り値に対応する文字もしくはマークを表示装置１１５にそれぞれ点灯表示させ、図１２による処理を終了して図９のステップＳ１４へ進む。
【０１２３】
以上説明したように第五の実施の形態によれば、電子カメラがマニュアル露出演算モード（Ｍ）に設定され（ステップＳ４０２を肯定判定）、撮像感度自動変更モードに設定されている（ステップＳ４０３を肯定判定）場合には、オートブラケティング撮影モードの設定／解除をしない（禁止する）ようにする。この一方で、電子カメラがマニュアル露出演算モード（Ｍ）に設定され（ステップＳ４０８を肯定判定）、オートブラケティング撮影モードに設定されている（ステップＳ４０９を肯定判定）場合には、撮像感度自動変更モードの設定／解除をしない（禁止する）ようにした。したがって、マニュアル露出演算モード（Ｍ）時に撮像感度自動変更モードの処理（ステップＳ２３）によって撮像感度をＩＳＯ１００相当〜ＩＳＯ１６００相当の範囲の中で自動変更する動作と、オートブラケティング撮影モードの処理（ステップＳ２５）によって１コマ撮影するごとに撮像感度を変更する動作とが択一的に行われ、お互いの動作が競合することを防止できる。
【０１２４】
上述したステップＳ１００８において、オートブラケティング撮影モードを解除する代わりに撮像感度自動変更モードを解除してもよい。この場合には、演算回路１０１は、ステップＳ１００８において撮像感度自動変更モードを解除するとともに、フラグＳに０をセットして図１０による処理を終了し、図９のステップＳ１３へ進む。これにより、撮像感度自動変更モードおよびオートブラケティング撮影モードがともに設定された状態でマニュアル露出演算モード（Ｍ）に変更操作されると、撮像感度自動変更モードが解除される。
【０１２５】
また、ステップＳ１００８において、オートブラケティング撮影モードおよび撮像感度自動変更モードの両方を解除してもよい。この場合には、演算回路１０１は、ステップＳ１００８において撮像感度自動変更モードを解除してフラグＳに０をセットし、オートブラケティング撮影モードを解除してフラグＢに０をセットする。そして、図１０による処理を終了して図９のステップＳ１３へ進む。これにより、撮像感度自動変更モードおよびオートブラケティング撮影モードがともに設定された状態でマニュアル露出演算モード（Ｍ）に変更操作されると、撮像感度自動変更モードおよびオートブラケティング撮影モードがともに解除される。
【０１２６】
上述したステップＳ１００８において、オートブラケティング撮影モードを解除する代わりに、マニュアル露出演算モード（Ｍ）から絞り値優先露出演算モード（Ａ）に変更してもよい。この場合には、演算回路１０１は、ステップＳ１００８において絞り値優先露出演算モード（Ａ）に変更するとともに、露出モードパラメータＭに３をセットして図１０による処理を終了し、図９のステップＳ１３へ進む。つまり、撮像感度自動変更モードおよびオートブラケティング撮影モードがともに設定された状態でマニュアル露出演算モード（Ｍ）に変更操作されると、絞り値優先露出演算モード（Ａ）の状態が保持される。
【０１２７】
（第六の実施の形態）
第六の実施の形態は、マニュアル露出演算モード（Ｍ）において、電子カメラがオートブラケティング撮影モードに設定されているか否かにかかわらず、撮像感度自動変更モードの設定／解除を優先して行うようにした点が第五の実施の形態と異なる。図１３は、第六の実施の形態による設定処理の詳細を説明するフローチャートである。図１３において、図１１と同一の処理を行うステップは図１１と同一の符号を記して説明を省略する。
【０１２８】
演算回路１０１は、ステップＳ４０７を肯定判定するとステップＳ４１０へ進む。ステップＳ４１１の次に進むステップＳ４５１において、演算回路１０１は、露出モードパラメータＭ＝４か否かを判定する。演算回路１０１は、Ｍ＝４（マニュアル露出演算モード（Ｍ））の場合にステップＳ４５１を肯定判定してステップＳ４５２へ進み、Ｍ≠４（マニュアル露出演算モード（Ｍ）でない）場合にステップＳ４５１を否定判定し、図１３による処理を終了して図９のステップＳ１３へ進む。
【０１２９】
ステップＳ４５２において、演算回路１０１は、オートブラケティングモードフラグＢ＝１か否かを判定する。演算回路１０１は、Ｂ＝１（オートブラケティング撮影モードに設定）の場合にステップＳ４５２を肯定判定してステップＳ４５３へ進み、Ｂ＝０（オートブラケティング撮影モードが解除）の場合にステップＳ４５２を否定判定して図１３による処理を終了し、図９のステップＳ１３へ進む。
【０１３０】
ステップＳ４５３において、演算回路１０１は、オートブラケティング撮影モードを解除するとともに、フラグＢに０をセットして図１３による処理を終了し、図９のステップＳ１３へ進む。
【０１３１】
以上説明したように第六の実施の形態によれば、電子カメラがマニュアル露出演算モード（Ｍ）に設定され（ステップＳ４０２を肯定判定）、撮像感度自動変更モードに設定されている（ステップＳ４０３を肯定判定）とき、オートブラケティング撮影モードの設定／解除をしない（禁止する）ようにする。この一方で、電子カメラに撮像感度自動変更モードの設定／解除操作が行われた（ステップＳ４０７を肯定判定）場合に、操作に応じて撮像感度自動変更モードの設定／解除を行い、撮像感度自動変更モードの設定（ステップＳ４１１）時にマニュアル露出演算モード（Ｍ）ならびにオートブラケティング撮影モードが設定されていた場合（ステップＳ４５１ならびにステップＳ４５２を肯定判定）にはオートブラケティング撮影モードを解除する（ステップＳ４５３）ようにした。したがって、第五の実施の形態と同様に、撮像感度自動変更モードの処理（ステップＳ２３）、ならびにオートブラケティング撮影モードの処理（ステップＳ２５）が競合することを防止できる。
【０１３２】
さらに、第二の実施の形態と同様に、マニュアル露出演算モード（Ｍ）時に撮影者が撮像感度自動変更モードを解除する操作を行わない限り、撮像感度自動変更モードからオートブラケティング撮影モードへのモード変更をしないので、電子カメラが撮影者の意図に反する動作を行うことが防止される。
【０１３３】
さらにまた、マニュアル露出演算モード（Ｍ）時に撮影者がオートブラケティング撮影モードを解除する操作を行わなくても、オートブラケティング撮影モードから撮像感度自動変更モードへのモード変更をするようにしたので、撮像感度自動変更モードの設定／解除操作を優先して行うことができる。
【０１３４】
（第七の実施の形態）
第七の実施の形態は、マニュアル露出演算モード（Ｍ）において、電子カメラが撮像感度自動変更モードに設定されているか否かにかかわらず、オートブラケティング撮影モードの設定／解除を優先して行うようにした点が第五の実施の形態と異なる。図１４は、第七の実施の形態による設定処理の詳細を説明するフローチャートである。図１４において、図１１と同一の処理を行うステップは図１１と同一の符号を記して説明を省略する。
【０１３５】
演算回路１０１は、ステップＳ４０１を肯定判定するとステップＳ４０４へ進む。ステップＳ４０５の次に進むステップＳ４６１において、演算回路１０１は、露出モードパラメータＭ＝４か否かを判定する。演算回路１０１は、Ｍ＝４（マニュアル露出演算モード（Ｍ））の場合にステップＳ４６１を肯定判定してステップＳ４６２へ進み、Ｍ≠４（マニュアル露出演算モード（Ｍ）でない）場合にステップＳ４６１を否定判定し、図１４による処理を終了して図９のステップＳ１３へ進む。ステップＳ４６２において、演算回路１０１は、撮像感度自動変更モードフラグＳ＝１か否かを判定する。演算回路１０１は、Ｓ＝１（撮像感度自動変更モードに設定）の場合にステップＳ４６２を肯定判定してステップＳ４６３へ進み、Ｓ＝０（撮像感度自動変更モードが解除）の場合にステップＳ４６２を否定判定して図１４による処理を終了し、図９のステップＳ１３へ進む。
【０１３６】
ステップＳ４６３において、演算回路１０１は、撮像感度自動変更モードを解除するとともに、フラグＳに０をセットして図１４による処理を終了し、図９のステップＳ１３へ進む。
【０１３７】
以上説明したように第七の実施の形態によれば、電子カメラがマニュアル露出演算モード（Ｍ）に設定され（ステップＳ４０８を肯定判定）、オートブラケティング撮影モードに設定されている（ステップＳ４０９を肯定判定）とき、撮像感度自動変更モードの設定／解除をしない（禁止する）ようにする。この一方で、電子カメラにオートブラケティング撮影モードの設定／解除操作が行われた（ステップＳ４０１を肯定判定）場合に、操作に応じてオートブラケティング撮影モードの設定／解除を行い、オートブラケティング撮影モードの設定（ステップＳ４０５）時にマニュアル露出演算モード（Ｍ）ならびに撮像感度自動変更モードが設定されていた場合（ステップＳ４６１ならびにステップＳ４６２を肯定判定）には撮像感度自動変更モードを解除する（ステップＳ４６３）ようにした。したがって、第五の実施の形態および第六の実施の形態と同様に、撮像感度自動変更モードの処理（ステップＳ２３）、ならびにオートブラケティング撮影モードの処理（ステップＳ２５）が競合することを防止できる。
【０１３８】
さらに、第三の実施の形態と同様に、マニュアル露出演算モード（Ｍ）時に撮影者がオートブラケティング撮影モードを解除する操作を行わない限り、オートブラケティング撮影モードから撮像感度自動変更モードへモード変更をしないので、電子カメラが撮影者の意図に反する動作を行うことが防止される。
【０１３９】
さらにまた、マニュアル露出演算モード（Ｍ）時に撮影者が撮像感度自動変更モードを解除する操作を行わなくても、撮像感度自動変更モードからオートブラケティング撮影モードへモード変更するようにしたので、オートブラケティング撮影モードの設定／解除操作を優先して行うことができる。
【０１４０】
図１５は、上述した第七の実施の形態による設定Ａ処理の変形例を説明するフローチャートである。図１５において、図１４と同一の処理を行うステップは、図１４と同一の符号を記して説明を省略する。ステップＳ４５１、ステップ４５２およびステップＳ４５３は、それぞれ図１３の同一符号の処理と同一なので説明を省略する。この処理によれば、電子カメラにオートブラケティング撮影モードおよび撮像感度自動変更モードの両モードの設定操作が行われると、マニュアル露出演算モード（Ｍ）時に限って後から設定操作されたモードを優先し、先に設定操作されていたモードを解除する。したがって、撮像感度自動変更モードの処理（ステップＳ２３）、ならびにオートブラケティング撮影モードの処理（ステップＳ２５）が競合することを防止できる。
【０１４１】
特許請求の範囲における各構成要素と、発明の実施の形態における各構成要素との対応について説明する。撮像装置は、たとえば、ＣＣＤ１０２、駆動回路１０４および撮像信号処理回路１０５によって構成される。輝度検出手段は、たとえば、測光装置１１６および演算回路１０１によって構成される。露光感度は、撮像感度が対応する。露光時間は、シャッタ速度が対応する。撮像感度自動変更モード実行手段、オートブラケティング撮影モード実行手段、および許可手段は、たとえば、演算回路１０１によって構成される。非マニュアル露出演算モードは、たとえば、プログラムオート露出演算モード（Ｐ）、絞り値優先露出演算モード（Ａ）、シャッタ速度優先露出演算モード（Ｓ）が対応する。なお、本発明の特徴的な機能を損なわない限り、各構成要素は上記構成に限定されるものではない。
【０１４２】
【発明の効果】
本発明によれば、撮像感度自動変更モードの実行とオートブラケティング撮影モードの実行とを択一的に許可するようにしたので、両モードの設定を適切に行うことができる。
【図面の簡単な説明】
【図１】本発明の第一の実施の形態による電子カメラの構成を示すブロック図である。
【図２】電子カメラの演算回路で行われる撮像感度変更処理の流れを説明するフローチャートである。
【図３】設定処理の詳細を説明するフローチャートである。
【図４】表示処理の詳細を説明するフローチャートである。
【図５】第二の実施の形態による設定処理の詳細を説明するフローチャートである。
【図６】第三の実施の形態による設定処理の詳細を説明するフローチャートである。
【図７】設定処理の変形例を説明するフローチャートである。
【図８】第四の実施の形態による設定処理の詳細を説明するフローチャートである。
【図９】第五の実施の形態による電子カメラの演算回路で行われる撮像感度変更処理の流れを説明するフローチャートである。
【図１０】設定Ａ処理の詳細について説明するフローチャートである。
【図１１】設定Ａ処理の詳細について説明するフローチャートである。
【図１２】表示Ａ処理の詳細について説明するフローチャートである。
【図１３】第六の実施の形態による設定Ａ処理の詳細を説明するフローチャートである。
【図１４】第七の実施の形態による設定Ａ処理の詳細を説明するフローチャートである。
【図１５】設定Ａ処理の変形例を説明するフローチャートである。
【符号の説明】
１０１…演算回路、                  １０２…ＣＣＤ、
１０９…感度設定操作部材、          １１０…露出モード設定操作部材、
１１１…シャッタ速度設定操作部材、  １１２…絞り設定操作部材、
１１３…撮像感度自動変更モード設定操作部材、
１１５…表示装置、                  １１６…測光装置
１２０…オートブラケティングモード設定操作部材
【図１】
2004266788.tif 000003
【図２】
2004266788.tif 000004
【図３】
2004266788.tif 000005
【図４】
2004266788.tif 000006
【図５】
2004266788.tif 000007
【図６】
2004266788.tif 000008
【図７】
2004266788.tif 000009
【図８】
2004266788.tif 000010
【図９】
2004266788.tif 000011
【図１０】
2004266788.tif 000012
【図１１】
2004266788.tif 000013
【図１２】
2004266788.tif 000014
【図１３】
2004266788.tif 000015
【図１４】
2004266788.tif 000016
【図１５】
2004266788.tif 000017